(57)【要約】      （修正有）【課題】簡単安価な構造で効率良く換気できるようにした通信処理用サーバーを収納するサーバーラック提供すること。【解決手段】ラック本体１内に上下所定間隔をおいて配置した複数の受棚２上にサーバーを載置するようにしたサーバーラックにおいて、前記ラック本体１の四隅に立設した中空状支柱６のうち、前方右側の支柱６の下部に通気口１１を貫設すると共に、該支柱６の通気口１１よりも上方位置に複数の送気口１２を上下方向所定間隔をおいて貫設することにより、その支柱６の中空部が送気通路１３とされており、給気ファン１６から通気口１１を通って送気通路１３内にエアを供給することにより、その供給したエアが各送気口１２を通ってラック本体１内に供給されるようにした。【選択図】図１
2005158946.tif 000002
【特許請求の範囲】
【請求項１】
ラック本体内に上下所定間隔をおいて配置した複数の受棚上にサーバーを載置するようにしたサーバーラックにおいて、前記ラック本体の四隅に中空状の支柱を立設し、該各支柱のうち、少なくともその１つの支柱の下部に通気口を貫設すると共に、該支柱の通気口よりも上方位置に複数の送気口を上下方向所定間隔をおいて貫設することにより、その支柱の中空部が送気通路とされており、給気ファンから通気口を通って送気通路内にエアを供給することにより、その供給したエアが各送気口を通ってラック本体内に供給されるようにしてなるサーバーラック。
【請求項２】
前記送気通路がラック本体の前側の一方の中空状支柱に形成され、前記ラック本体の前面開口部に気密性開閉扉が配置されると共に、該ラック本体の両側面開口部及び後面開口部に多数の通気孔を全面的に形成した通気板が取り付けられてなる請求項１に記載のサーバーラック。
【請求項３】
前記給気ファンがラック本体の底板部上に配置されて該底板部に貫設したフィルタ付き吸気口に接続されると共に、該給気ファンの給気口がダクトを介して前記通気口に接続されてなる請求項１または２に記載のサーバーラック。
【請求項４】
前記各中空状支柱が互いに嵌合させた一対の横断面略コ字状の内側型材と外側型材とにより形成され、その各支柱のうち、前記送気通路を形成する支柱の内側型材に前記通気口と複数の送気口とが貫設されてなる請求項１〜３のいずれかに記載のサーバーラック。
【請求項５】
前記ラック本体に排気ファンが設けられ、その排気ファンによりラック本体内から強制排気するようにしてなる請求項１〜４のいずれかに記載のサーバーラック。
【請求項６】
前記通気板に替えて気密板によりラック本体の両側面及び後面が塞がれてなる請求項５に記載のサーバーラック。
【発明の詳細な説明】
【技術分野】
【０００１】
本発明は、ネットワークを通じて通信処理を行うサーバーを収納するサーバーラックに関し、特に、簡単安価な構造で効率良く換気できるようにしたものである。
【背景技術】
【０００２】
従来、サーバーラックの一例として図７に示すものがある。これは、ラック本体１内に上下所定間隔をおいて配置した複数の受棚２上にサーバー（図示せず）を載置するようにしたものであって、前記ラック本体１が、脚部３付き底板部４及び天板部５と、その四隅に立設したアングル状の支柱６とからなり、前記ラック本体１の前面開口部１ａに気密性開閉扉７が配置されると共に、該ラック本体１の後面開口部１ｄに多数の通気孔８ａを全面的に形成した通気板８が取り付けられている。
【０００３】
上記構成において、各サーバーが作動により発熱すると、その発熱による高温空気が上部の各通気孔８ａからラック本体１外に流出すると共に、ラック本体１外の低温空気が下部の各通気孔８ａからそのラック本体１内に流入して、自然換気が行われ。これによって、各サーバーの温度上昇による性能ダウンを防ぐようになっているが、最近では、各サーバーをできるだけ接近させて収納することにより、ラック本体１を薄型にすることが行われており、これでは、各サーバーの温度上昇を抑えることができない。
【０００４】
上記難点を解消するため、図８に示すように、ラック本体１の例えば後面に排気ファン９を取り付けて、その排気ファン９によりラック本体１から強制排気することが考えられている。
【発明の開示】
【発明が解決しようとする課題】
【０００５】
上記従来の構成では、ラック本体１内の排気ファン９から遠い部分Ａ〔図８（ｂ）仮想線参照〕の換気が不充分となり、その部分Ａに配置したサーバーの温度上昇を抑えることができなくなるおそれがある。
【０００６】
そこで、ラック本体１に冷房装置を組み込むことが考えられているが、これでは、高価になると共に、比較的大型の冷房装置を組み込むことにより、ラック本体１の内部空間が狭められるという欠点がある。
【０００７】
本発明は、上記従来の欠点に鑑み、簡単安価な構造で効率良く換気できるようにしたサーバーラックを提供することを目的としている。
【課題を解決するための手段】
【０００８】
上記目的を達成するための構成を実施の形態に対応する図面に基づいて説明すると、請求項１に記載の発明は、図１に示すように、ラック本体１内に上下所定間隔をおいて配置した複数の受棚２上にサーバーを載置するようにしたサーバーラックにおいて、前記ラック本体１の四隅に中空状の支柱６を立設し、該各支柱６のうち、少なくともその１つの支柱６の下部に通気口１１を貫設すると共に、該支柱６の通気口１１よりも上方位置に複数の送気口１２を上下方向所定間隔をおいて貫設することにより、その支柱６の中空部６Ｃが送気通路１３とされており、給気ファン１６から通気口１１を通って送気通路１３内にエアを供給することにより、その供給したエアが各送気口１２を通ってラック本体１内に供給されるようにしてなる構成を採用するものである。
【０００９】
請求項２に記載の発明は、請求項１に記載の発明において、前記送気通路１３がラック本体１の前側の一方の中空状支柱６に形成され、前記ラック本体１の前面開口部１ａに気密性開閉扉７が配置されると共に、該ラック本体１の両側面開口部１ｂ，１ｃ及び後面開口部１ｄに多数の通気孔８ａを全面的に形成した通気板８が取り付けられてなる構成を採用するものである。
【００１０】
請求項３に記載の発明は、請求項１または２に記載の発明において、前記給気ファン１６がラック本体１の底板部４上に配置されて該底板部４に貫設したフィルタ１４付き吸気口１５に接続されると共に、該給気ファン１６の給気口１６ａがダクト１７を介して前記通気口１１に接続されてなる構成を採用するものである。
【００１１】
請求項４に記載の発明は、請求項１〜３のいずれかに記載の発明において、前記各中空状支柱６が互いに嵌合させた一対の横断面略コ字状の内側型材６Ａと外側型材６Ｂとにより形成され、その各支柱６のうち、前記送気通路１３を形成する支柱６の内側型材６Ａに前記通気口１１と複数の送気口１２とが貫設されてなる構成を採用するものである。
【００１２】
請求項５に記載の発明は、請求項１〜４のいずれかに記載の発明において、前記ラック本体１に排気ファン２３が設けられ、その排気ファン２３によりラック本体１内から強制排気するようにしてなる構成を採用するものである。
【００１３】
請求項６に記載の発明は、請求項５に記載の発明において、前記通気板８に替えて気密板２４によりラック本体の両側面及び後面が塞がれてなる構成を採用するものである。
【発明の効果】
【００１４】
請求項１に記載の発明によれば、給気ファン１６から送気通路１３内を通って上下所定間隔をおいて設けた複数の送気口１２からラック本体１内にエアを供給することにより、該ラック本体１内の全体にほぼ均等にエアが流れて強制換気されるから、ラック本体１内の各受棚２上に配置した各サーバーの温度上昇による性能ダウンを確実に防ぐことができると共に、そのラック本体１を薄型にすることができる。
【００１５】
また、前記支柱６が中空状に形成され、該支柱６の中空部６Ｃに前記送気通路１３が形成されているから、その中空状支柱６を送気通路１３として兼用している分だけ製作費を安くすることができると共に、ラック本体１の内部空間を狭めることなく有効に利用することができる。
【００１６】
請求項２に記載の発明によれば、ラック本体１内の前方から上下所定間隔をおいて供給したエアを該ラック本体の両側方及び後方に流すようになっているから、そのラック本体１内の全体をほぼ均等に強制換気することができる。
【００１７】
請求項３に記載の発明によれば、ラック本体１内の下部に給気ファン１６をコンパクトに組み込んでいるので、該ラック本体１内の下部以外の大部分をサーバーの収納空間として有効に利用することができると共に、給気ファン１６により床面上の低温エアを吸い込むので、サーバーを効率良く冷やすことができ、しかも、前記吸気口１５にフィルタ１４を取り付けてあるので、塵埃を除去して清澄なエアをラック本体１内に供給することができる。
【００１８】
請求項４に記載の発明によれば、一対の横断面略コ字状の内側型材６Ａと外側型材６Ｂとを嵌合させることにより、強度大なる中空状支柱６を形成することができると共に、その両型材６Ａ，６Ｂを嵌合させる前に、内側型材６Ａに対して通気口１１と複数の送気口１２とを貫設するので、その貫設作業を容易に行うことができる。
【００１９】
請求項５に記載の発明によれば、ラック本体１に排気ファン２３が設けられているので、該排気ファン２３によりラック本体１内の換気を一層促進することができる。
【００２０】
請求項６に記載の発明によれば、気密板２４によりサーバーから発する騒音を遮断して、静音化を図ることができる。
【発明を実施するための最良の形態】
【００２１】
図１〜図５は本発明の第１の実施の形態であるサーバーラックを示すものであって、ラック本体１の四隅には従来のアングル状支柱に替えて中空状の支柱６が立設されるが、これらの中空状支柱６は、スポット溶接により互いに嵌合させた一対の横断面略コ字状の内側型材６Ａと外側型材６Ｂとにより形成され、ラック本体１の前方右側の支柱６の内側型材６Ａの下部に通気口１１を貫設すると共に、該内側型材６Ａの通気口１１よりも上方位置に複数の送気口１２を上下方向所定間隔をおいて貫設することにより、その支柱６の中空部６Ｃが送気通路１３とされ、ラック本体１の底板部４上にシロッコファンからなる給気ファン１６が配置されて該底板部４に貫設したフィルタ１４付き吸気口１５に接続されると共に、該給気ファン１６の給気口１６ａがダクト１７を介して通気口１１に接続され、ラック本体１の両側面及び後面が開放されてその各開口部１ｂ，１ｃ，１ｄに通気板８が取り付けられ、底板部４にサーバー用ケーブルを導入するための入線穴４ａが形成されている。図１中、１８はキャスタ、図２中、１９は各支柱６に取り付けた受棚２用支持具である。上記以外の構成は図７に示す構成とほぼ同じであるから、同一部分に同一符号を付してその説明を省略する。
【００２２】
換気手順を説明すると、図６に示すように、給気ファン１６を作動させることにより、吸気口１５からエアを吸引し、そのエアをダクト１７及び送気通路１３を通って各送気口１２からラック本体１内の前方に上下所定間隔をおいて供給し、その供給したエアを両側方及び後方の各通気板８の通気孔８ａを通って排気する。
【００２３】
上記構成によれば、ラック本体１内の全体にほぼ均等にエアが流れて強制換気されるから、ラック本体１内の各受棚２上に配置した各サーバーの温度上昇による性能ダウンを確実に防ぐことができると共に、そのラック本体１を薄型にすることができる。
【００２４】
また、前記送気通路１３が支柱６の中空部６Ｃに形成されているから、その支柱６を送気通路１３として兼用している分だけ製作費を安くすることができると共に、ラック本体１の内部空間を狭めることなく有効に利用することができる。
【００２５】
更に、ラック本体１内の下部に給気ファン１６をコンパクトに組み込んでいるので、該ラック本体１内の下部以外の大部分をサーバーの収納空間として有効に利用することができると共に、給気ファン１６により床面上の低温エアを吸い込むので、サーバーを効率良く冷やすことができ、しかも、前記吸気口１５にフィルタ１４を取り付けてあるので、塵埃を除去して清澄なエアをラック本体１内に供給することができる。
【００２６】
また更に、一対の横断面略コ字状の内側型材６Ａと外側型材６Ｂとを嵌合させることにより、強度大なる中空状支柱６を形成することができると共に、その両型材６Ａ，６Ｂを嵌合させる前に、内側型材６Ａに対して通気口１１と複数の送気口１２とを貫設するので、その貫設作業を容易に行うことができる。
【００２７】
図１及び図３に示すように、各通気板８の表面にシート状フィルタ２０が貼着されており、該フィルタ２０により各通気孔８ａを覆っているので、その各通気孔８ａからラック本体１内に塵埃が侵入するのを確実に阻止することができる。
【００２８】
図１及び図３に示すように、ラック本体１の前面開口部１ａに設けた開閉扉７がアクリル樹脂板などの気密性に優れた板材で形成されており、これによって、サーバーから発する騒音を遮断して防音機能を高めている。
【００２９】
図３及び図５に示すように、各通気板８の周縁部と外側型材６Ｂに突設した受板部６ａとの間に吸振ゴム２１が介在され、その吸振ゴム２１を介して各通気板８が受板部６ａにビス２２で止着されており、これによって、振動及び騒音を減少させることができる。
【００３０】
図７は本発明の第２の実施の形態であるサーバーラックを示すものであって、ラック本体１の後面に排気ファン２３が配置され、該ラック本体１の両側面及び後面が気密板２４により塞がれている。上記以外の構成は図１から図６に示す第１の実施の形態とほぼ同じであるから、同一部分に同一符号を付してその説明を省略する。
【００３１】
上記構成によれば、第１の実施の形態とほぼ同じ効果を得ることができると共に、排気ファン９によりラック本体１内の換気を一層促進することができる。また、気密板２４によりサーバーから発する騒音を遮断して、静音化を図ることができる。
【産業上の利用可能性】
【００３２】
上記の第１、第２の実施の形態では、送気通路１３をラック本体１の前方右側の支柱の中空部６Ｃに形成したが、これに限定されるわけではなく、ラック本体１の四隅に立設した支柱６のうちの適当な１つまたは２つ以上の支柱６の中空部６Ｃに形成するようにしてもよい。
【図面の簡単な説明】
【００３３】
【図１】本発明の実施の一形態であるサーバーラックの斜視図である。
【図２】同縦断面図である。
【図３】同水平断面図である。
【図４】同要部の斜視図である。
【図５】同要部の分解斜視図である。
【図６】（ａ）は同換気の状態を示す概略横断面図、（ｂ）は同縦断面図、（ｃ）は同水平断面図である。
【図７】（ａ）は本発明の第２の実施の形態であるサーバーラックを示す概略横断面図、（ｂ）は同縦断面図、（ｃ）は同水平断面図である。
【図８】（ａ）は従来の一例を示す概略横断面図、（ｂ）は同縦断面図、（ｃ）は同水平断面図である。
【図９】（ａ）は従来の他の例を示す概略横断面図、（ｂ）は同縦断面図、（ｃ）は同水平断面図である。
【符号の説明】
【００３４】
１          ラック本体
１ａ        ラック本体の前面開口部
１ｂ，１ｃ  ラック本体の側面開口部
１ｄ        ラック本体の後面開口部
２          受棚
４          ラック本体の底板部
６          支柱
６Ａ        支柱の内側型材
６Ｂ        支柱の外側型材
６Ｃ        支柱の中空部
７          開閉扉
８          通気板
８ａ        通気板の通気孔
１１        通気口
１２        送気口
１３        送気通路
１４        フィルタ
１５        吸気口
１６        給気ファン
１６ａ      給気ファンの給気口
１７        ダクト
２３        排気ファン
２４        気密板
【図１】
2005158946.tif 000003
【図２】
2005158946.tif 000004
【図３】
2005158946.tif 000005
【図４】
2005158946.tif 000006
【図５】
2005158946.tif 000007
【図６】
2005158946.tif 000008
【図７】
2005158946.tif 000009
【図８】
2005158946.tif 000010
【図９】
2005158946.tif 000011